(57)【要約】      （修正有）【課題】歯磨きの効率を向上させることができ、歯の状態に応じて適切に歯磨きを行うことができる電動歯ブラシを提供する。【解決手段】モーター３が設置されたケース４と、一端部５ａにブラシ２が形成されるとともに、ケース４に他端部５ｂ側が取り付けられた少なくとも１つの歯ブラシ本体５と、ケース４内に設けられ、モーター３の駆動軸１０と共働するとともに、歯ブラシ本体５を揺動又は回転のいずれかをさせる動力伝達部６と、ケース４内に設けられ、歯ブラシ本体５を振動又は往復運動の少なくともいずれかをさせることができる振動発生部７とで構成される。【選択図】図１
0003220204.tif 000002
【実用新案登録請求の範囲】
【請求項１】
モーターが設置されたケースと、一端部にブラシが形成されるとともに、前記ケースに他端部側が取り付けられた少なくとも１つの歯ブラシ本体と、  前記ケース内に設けられ、前記モーターの駆動軸と共働するとともに、前記歯ブラシ本体を揺動又は回転のいずれかをさせる動力伝達部と、前記ケース内に設けられ、前記歯ブラシ本体を振動又は往復運動の少なくともいずれかをさせることができる振動発生部とで構成される電動歯ブラシ。
【請求項２】
前記歯ブラシ本体は、複数個設けられていることを特徴とする請求項１に記載の電動歯ブラシ。
【請求項３】
前記複数個の歯ブラシ本体のブラシが相互に干渉することなく互いに重なり合うように、少なくとも一つの螺旋状か又は長手方向に互いに平行かのいずれかに植設されることを特徴とする請求項２に記載の電動歯ブラシ。
【考案の詳細な説明】
【技術分野】
【０００１】
本考案は、回転や振動、揺動等の３次元の動作で歯を磨くことができる電動歯ブラシに関する。
【背景技術】
【０００２】
適切で正しい歯磨きは口腔衛生と健康を維持するための不可欠な方法で、推奨される歯磨き方法としては、例えば、歯ブラシを歯茎部分に保持したまま歯ブラシを歯茎と歯の付け根の部分から歯のエッジまで動かす方法がある。  しかしながら、このように歯を磨くことは多くの時間を要し、常にこのような磨き方で歯を磨くことは容易ではない。
【０００３】
そこで本考案者は、上記のような磨き方を容易に行うことができるよう、歯の内面及び外面を同時に清掃することができる２つのブラシヘッドを用いた電動歯ブラシを考案した（特許文献１）。
【０００４】
しかしながら、この特許文献１に記載されている電動歯ブラシは、歯の両側で回転するブラシを使用して歯を洗浄するものであり、歯磨きの効率性を向上させることができ、かつ、歯の状態に応じた歯磨きを行うことはできなかった。
【先行技術文献】
【特許文献】
【０００５】
【特許文献１】国際公開第２００６／００６８０８号公報
【考案の概要】
【考案が解決しようとする課題】
【０００６】
本考案は以上のような従来の欠点に鑑み、歯磨きの効率を向上させることができ、歯の状態に応じて適切に歯磨きを行うことができる電動歯ブラシを提供することを目的としている。
【課題を解決するための手段】
【０００７】
上記目的を達成するために、本考案の請求項１に記載の電動歯ブラシは、モーターが設置されたケースと、一端部にブラシが形成されるとともに、前記ケースに他端部側が取り付けられた少なくとも１つの歯ブラシ本体と、  前記ケース内に設けられ、前記モーターの駆動軸と共働するとともに、前記歯ブラシ本体を揺動又は回転のいずれかをさせる動力伝達部と、前記ケース内に設けられ、前記歯ブラシ本体を振動又は往復運動の少なくともいずれかをさせることができる振動発生部とで構成されることを特徴とする。
請求項２に記載の電動歯ブラシの前記歯ブラシ本体は、複数個設けられていることを特徴とする。
【０００８】
請求項３に記載の電動歯ブラシは、前記歯ブラシ本体のブラシが相互に干渉することなく互いに重なり合うように、少なくとも一つの螺旋状か又は長手方向に互いに平行かのいずれかに植設されることを特徴とする。
【考案の効果】
【０００９】
以上の説明から明らかなように、本考案にあっては次に列挙する効果が得られる。
（１）請求項１に記載された考案においては、ブラシを所定の角度で回転及び揺動させると同時に往復運動するので、洗浄効率を向上させることができる。
（２）また、洗浄効率を向上させることができるので、歯ブラシの回転数を相対的に減少させることができ、歯茎や歯の表面を保護することができる。
（３）請求項２〜３に記載された各考案も前記（１）、（２）と同様な効果が得られる。
【図面の簡単な説明】
【００１０】
図１及び図２は本考案の第１の実施形態を示す説明図である。
図３乃至図５は本考案の第２の実施形態を示す説明図である。
図６及び図７は本考案の第３の実施形態を示す説明図である。
図８及び図９は本考案の第４の実施形態を示す説明図である。
図１０は本考案の第５の実施形態を示す説明図である。
図１１及び図１２は本考案の第６の実施形態を示す説明図である。
図１３は本考案の第７の実施形態を示す説明図である。
図１４乃至図１６は本考案の第８の実施形態を示す説明図である。
【図１】第１実施形態の電動歯ブラシの一部破断斜視図。
【図２】歯ブラシ本体を揺動させる場合の動力伝達部の説明図。
【図３】第２実施形態のケースを除いた状態の電動歯ブラシの斜視図。
【図４】動力伝達部及び振動発生部の説明図。
【図５】振動発生部の説明図。
【図６】第３実施形態の電動歯ブラシの説明図。
【図７】動力伝達部及び振動発生部の説明図。
【図８】第４実施形態の電動歯ブラシの説明図。
【図９】動力伝達部及び振動発生部の説明図。
【図１０】第５実施形態の電動歯ブラシの説明図。
【図１１】第６実施形態の電動歯ブラシの説明図。
【図１２】動力伝達部の説明図。
【図１３】第７実施形態の電動歯ブラシの要部説明図。
【図１４】第８実施形態の電動歯ブラシの説明図。
【図１５】第８の歯ブラシ本体が往復運動する場合の動力伝達部の説明図。
【図１６】第８の歯ブラシ本体を固定した場合の動力伝達部の説明図。
【考案を実施するための形態】
【００１１】
以下、図面に示す本考案を実施するための形態により、本考案を詳細に説明する。なお、図１は後述する動力伝達部６に駆動ギヤ９や従動ギヤ８が含まれ、一方、図２は動力伝達部６にリンク１１ａやカム１２が含まれているが、ここでは図１及び図２の各実施形態をまとめて第１の実施形態という。
【００１２】
図１及び図２に示す本考案を実施するための第１の形態において、１は本考案のブラシ２を回転、振動、往復、揺動等させることにより歯の少なくとも一側面を洗浄することができる電動歯ブラシである。
【００１３】
電動歯ブラシ１は、例えば図１に示すように、モーター３を垂直方向に収容するケース４と、ケース４に回転及び往復動可能に設けられた歯ブラシ本体５と、前記ケース内４のモーター３と前記歯ブラシ本体５との間に設けられ、前記モーター３の駆動軸１０と共働するとともに、前記歯ブラシ本体５を回転させる動力伝達部６と、前記ケース内４に設けられ、前記歯ブラシ本体５を振動させることができ、かつ、往復運動させることができる振動発生部７とで構成されている。
【００１４】
歯ブラシ本体５は、その一端部５ａにはブラシ２が設けられており、他端部５ｂがモーター３に取り付けられている。
【００１５】
この他端部を通じて動力伝達部６及び振動発生部７の回転及び振動を伝達される。
ところで、この歯ブラシ本体５は、本実施形態においては、その軸部が、長手方向に３分割されており一端部５ａ及び他端部５ｂが着脱自在に嵌合する。また、軸部の一端部に設けられたブラシ２は、螺旋状に植設されている。
【００１６】
例えば図１において、動力伝達部６は、歯ブラシ本体５の他端部５ｂ付近にスプライン結合された従動ギヤ８（伝動用ギヤ部）と、この従動ギヤ８と噛み合う駆動ギヤ９（駆動用ギヤ部）とで構成されており、この駆動ギヤ９はモーター３の駆動軸１０に固定されている。したがって、前記駆動ギヤ９は、モーター３の駆動軸１０と共働する。
【００１７】
このようにスプライン結合により従動ギヤ８を歯ブラシ本体５に係合させることにより、従動ギヤ８の回転力を歯ブラシ本体５に伝達することができるとともに、歯ブラシ本体５が長手方向への往復運動を従動ギヤ８により阻害されることがない。
この従動ギヤ８は、ケース４の壁面等により歯ブラシ本体５の長手方向への移動が制限されている。
【００１８】
動力伝達部６は、本実施形態に限定されるものではなく、周溝を備える駆動及び従動プーリー及びこのプーリーと共働するベルトを用いて歯ブラシ本体５を回転させるものであってもよい。
【００１９】
なお、従動ギヤ８及び駆動ギヤ９との間には、複数の加減速用アイドルギヤを設置することができ、回転トルクを高め、回転数を調整したギヤモータを用いることもできる。
ところで、本実施形態においては、図１に示すように、歯ブラシ本体５が回転できる構成について説明しているが、例えば、図２に示すように、歯ブラシ本体５を所定の角度で揺動することができるように構成してもよい。
【００２０】
この場合、動力伝達部６は、歯ブラシ本体５の他端部５ｂにスプライン結合された補助軸１１と、複数のリンク１１ａを介して連結されたカム１２と、このカム１２を回転させるモーター３とで構成される。なお、リンク１１ａの１つはカム１２の偏心部位に軸支されている。
【００２１】
振動発生部７は、歯ブラシ本体５の他端部５ｂに設置されたフランジ１３と、このフランジ１３の外周面に設置され、フランジ１３の共振周波数で軸方向に往復運動するコイル部１４とで構成されている。このコイル部１４に印加することによりコイル部１４が歯ブラシ本体５の長手方向に往復運動し、これに伴い歯ブラシ本体５が長手方向に往復運動する。
【００２２】
なお、このコイル部１４の往復運動の幅を狭くするように印加することにより、歯ブラシ本体５を振動させることもできる。
【００２３】
ところで、歯ブラシ本体５の他端部５ｂに往復動時に弾性力を与えるスプリング（図示せず）をさらに備えることもできる。
【００２４】
［考案を実施するための異なる形態］
次に、図３乃至図１６に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００２５】
図３乃至図５に示す本考案を実施するための第２の形態において、前記本考案を実施するための第１の形態と主に異なる点は、歯ブラシ本体５の他端部５ｂに回転自在に支持された偏心カムハウジング１５と、偏心カムハウジング１５に連結された従動軸１６に取り付けられた偏心カム１６ａと、モーター３の回転力を従動軸１６に伝達する偏心カム動力伝達部１７とで構成された振動発生部７Ａにした点で、このような振動発生部７Ａを用いた電動歯ブラシ１Ａにしても、前記本考案を実施するための第１の形態と同様な作用効果が得られる。
【００２６】
歯ブラシ本体５の他端部５ｂは、本実施形態においては、その先端部に溝が形成されており、この溝が偏心カムハウジング１５に形成されたブラケット１８に係合状態で支持される。
【００２７】
偏心カム動力伝達部１７は、従動軸１６に設けられ、側面に歯部１９ａを有する偏心カム従動ギヤ１９と、モーター３の駆動軸１０に設けられた偏心カム駆動ギヤ２０とで構成されている。
【００２８】
ところで、図面には示されていないが、ブラッシング歯の間に口腔の内壁を保護するためにカバー部材を設置することができる。
【００２９】
図６及び図７に示す本考案を実施するための第３の形態において、前記本考案を実施するための第１の形態と主に異なる点は、２本の歯ブラシ本体５を用いた点で、このような電動歯ブラシ１Ｂにしても前記本考案を実施するための第１の形態と同様な作用効果が得られるとともに、より効率よく歯磨きをすることができる。
【００３０】
電動歯ブラシ１Ａは、本実施形態においては、２本の歯ブラシ本体５にそれぞれ設けられた従動ギヤ８が互いに噛み合っており、この２つの従動ギヤ８のうち一方の従動ギヤ８とモーター３の駆動軸１０に固定された駆動ギヤ９が噛み合う。このように駆動ギヤ９と従動ギヤ８を噛み合わせることにより、２本の歯ブラシ本体５がそれぞれ逆回転し、効率よく歯磨きすることができる。
【００３１】
本実施形態の振動発生部７Ｂは、図６に示すように、駆動軸１０に取り付けられた傾斜プレート２５と、歯ブラシ本体５の他端部５ｂに設けられ、この傾斜プレートに係合する係合部２６とで構成されている。
【００３２】
なお、前記歯ブラシ本体５のブラシ２は、それぞれが相互に干渉することなく互いに重なり合うように、螺旋状に植設されている。ところで、ブラシ２がそれぞれ相互に干渉することなく互いに重なり合うように植設されていれば、螺旋状ではなく長手方向に平行状態で植設されていてもよい。
【００３３】
図８及び図９に示す本考案を実施するための第４の形態において、前記本考案を実施するための第３の形態と主に異なる点は、モーター３の駆動軸１０に設けられ、２本の歯ブラシ本体５の他端部５ｂの先端に接触する凹凸面を有する回転ディスク２１と、２本の歯ブラシ本体５の他端部５ｂ側にそれぞれ設けられたコイルスプリング２２と、２本の歯ブラシ本体５の他端部５ｂに設けられ、その先端部が前記回転ディスク２１に当接するとともに、フランジ部２３ａを備えるストッパー２３とで構成され、このストッパー２３のフランジ部２３ａにはコイルスプリング２１の一端部が当接し、このストッパー２３が回転ディスク２１に向けて付勢された振動発生部７Ｃにした点で、このような振動発生部７Ｂを用いた電動歯ブラシ１Ｃにしても前記本考案を実施するための第３の形態と同様な作用効果が得られる。
【００３４】
図１０に示す本考案を実施するための第５の形態において、前記本考案を実施するための第３の形態と主に異なる点は、２本の歯ブラシ本体５の他端部５ｂ側にそれぞれ設けられた従動ギヤ８と、モーター３の駆動軸１０に設けられ、従動ギヤ８の一方と噛み合う駆動ギヤ９とで動力伝達部６Ａを構成した点で、このような動力伝達部６Ａを用いた電動歯ブラシ１Ｄにしても前記本考案を実施するための第３の形態と同様な作用効果が得られる。
【００３５】
なお、本実施形態においては、従動ギヤ８と駆動ギヤ９が噛み合っているが、単数又は複数のアイドルギヤを介して噛み合っていてもよい。
【００３６】
図１１及び図１２に示す本考案を実施するための第６の形態において、前記本考案を実施するための第３の形態と主に異なる点は、２本の歯ブラシ本体５の他端部５ｂ側の外周面にそれぞれ被駆動ギヤ２４を形成し、この被駆動ギヤ２４に噛み合う駆動ギヤ９Ａ及びモーター３を歯ブラシ本体５の他端部５ｂの外周方向に設置した動力伝達部６Ｂにした点で、このような電動歯ブラシ１Ｅにしても前記本考案を実施するための第３の形態と同様な作用効果が得られる。
【００３７】
なお、本実施形態の駆動ギヤ９Ａは、はすば歯車のように形成されており、この駆動ギヤ９Ａを回転させることにより、歯ブラシ本体５を上下方向に往復運動させることができる。
【００３８】
すなわち、本実施形態の動力伝達部６Ｂは振動発生部７Ｄを兼ねた形態となっている。
図１３に示す本考案を実施するための第７の形態において、前記本考案を実施するための第２の形態と主に異なる点は、２本の歯ブラシ本体５を用いた点で、このような電動歯ブラシ１Ｆにしても前記本考案を実施するための第２の形態と同様な作用効果が得られるとともに、より効率よく歯磨きをすることができるとともに、より効率よく歯磨きをすることができる。
【００３９】
図１４乃至図１６に示す本考案を実施するための第８の形態において、前記本考案を実施するための第３の形態と主に異なる点は、３本の歯ブラシ本体５、５Ａを用いた点で、このような電動歯ブラシ１Ｇにしても前記本考案を実施するための第３の形態と同様な作用効果が得られるとともに、より効率よく歯磨きをすることができるとともに、より効率よく歯磨きをすることができる。
【００４０】
本実施形態においては、第３の歯ブラシ本体５Ａは、螺旋状ではなく歯ブラシ本体５の長手方向に互いに平行に植設されている。
【００４１】
図１４においては、第３の歯ブラシ本体５は揺動する構成のものを示しており、図１５及び図１６においては、第３の歯ブラシ本体５が往復運動するものを示している。
【産業上の利用可能性】
【００４２】
本考案の電動式歯ブラシは、歯ブラシ等の衛生用品を製造する産業等で利用される。
【符号の説明】
【００４３】
１、１Ａ、１Ｂ、１Ｃ、１Ｄ、１Ｅ、１Ｆ、１Ｇ：電動歯ブラシ、
２：ブラシ、                      ３：モーター、
４：ケース、                      ５、５Ａ：歯ブラシ本体、
６、６Ａ、６Ｂ：動力伝達部、
７、７Ａ、７Ｂ、７Ｃ、７Ｄ：振動発生部、
８：従動ギヤ、                    ９：駆動ギヤ、
１０：駆動軸、                    １１：補助軸、
１２：カム、                      １３：フランジ、
１４：コイル部、                  １５：偏心カムハウジング、
１６：従動軸、                    １７：偏心カム動力伝達部、
１８：ブラケット、                １９：偏心カム従動ギヤ、
２０：偏心カム駆動ギヤ、          ２１：回転ディスク、
２２：コイルスプリング、          ２３：ストッパー、
２４：被駆動ギヤ、                ２５：傾斜プレート、
２６：係合部。  
【図１】
0003220204.tif 000003
【図２】
0003220204.tif 000004
【図３】
0003220204.tif 000005
【図４】
0003220204.tif 000006
【図５】
0003220204.tif 000007
【図６】
0003220204.tif 000008
【図７】
0003220204.tif 000009
【図８】
0003220204.tif 000010
【図９】
0003220204.tif 000011
【図１０】
0003220204.tif 000012
【図１１】
0003220204.tif 000013
【図１２】
0003220204.tif 000014
【図１３】
0003220204.tif 000015
【図１４】
0003220204.tif 000016
【図１５】
0003220204.tif 000017
【図１６】
0003220204.tif 000018